【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
試料処理のための方法であって、
（ａ）ｉ．内部の試料から１つ以上の核酸分子を捕捉するように構成されたフィルタを備える試料チャンバと、
ｉｉ．第１の導管によって前記試料チャンバに流体連結され、試薬を含むように構成されたウェルと、
ｉｉｉ．前記第１の導管と流体連通し、前記ウェルから前記試料チャンバに前記試薬を流すように構成された流体流ユニットと、
ｉｖ．１つ以上のアッセイチューブと、ここで前記１つ以上のアッセイチューブのうちの所定のアッセイチューブは、第２の導管を介して前記試料チャンバに流体連結され、
ｖ．前記流体流ユニットに連結され、前記試料の処理のために前記携帯型電子装置から命令を受け取るように構成されたコントローラと、
を備えるシステムを作動させることと、
（ｂ）前記コントローラを使用して、前記携帯型電子装置から前記命令を受け取ることと、
（ｃ）前記命令に従って、前記コントローラを使用して、（ｉ）前記ウェルから前記第１の導管に沿って前記試料チャンバに前記試薬を流すように前記流体流ユニットを誘導して、前記試料チャンバ内に前記試薬および前記１つ以上の核酸分子を含む溶液を提供し、
（ｉｉ）前記試料チャンバから前記第２の導管に沿って前記１つ以上のアッセイチューブに前記溶液を流すように前記流体流ユニットを誘導して、前記所定のアッセイチューブが前記溶液の少なくとも一部を受け取るようにすること、を含む方法。
【請求項２】
前記システムが、少なくとも１つの加熱ユニットをさらに備え、前記少なくとも１つの加熱ユニットが、前記所定のアッセイチューブを含む前記１つ以上のアッセイチューブと熱的に連通しており、前記コントローラが、前記命令に従って、前記溶液を加熱するように前記少なくとも１つの加熱ユニットを誘導する、請求項１に記載の方法。
【請求項３】
前記コントローラが、１つ以上の加熱および冷却サイクルに前記溶液を供するように前記少なくとも１つの加熱ユニットを誘導する、請求項２に記載の方法。
【請求項４】
前記システムが、ドックを備える試料処理ユニットを備え、前記試料処理ユニットが前記流体流ユニットを備え、前記ウェルおよび前記試料チャンバが試料処理カートリッジに含まれ、（ａ）が、前記ウェルおよび前記試料チャンバを前記流体流ユニットと流体連通させるように前記カートリッジを受け入れる前記ドックを備える、請求項１に記載の方法。
【請求項５】
（ｂ）では、前記コントローラが、前記携帯型電子装置と無線通信するように構成される、請求項１に記載の方法。
【請求項６】
前記システムが、前記１つ以上のアッセイチューブに流体連結され、前記１つ以上のアッセイチューブの下流に配置された第２の流体流ユニットをさらに備える、請求項１に記載の方法。
【請求項７】
前記システムが、別の導管によって前記試料チャンバに流体連結された廃棄物チャンバをさらに備える、請求項１に記載の方法。
【請求項８】
前記システムが、前記廃棄物チャンバと前記試料チャンバとの間に、前記別の導管に沿って配置された第３の流体流ユニットをさらに備える、請求項７に記載の方法。
【請求項９】
前記システムが、前記ウェルと前記試料チャンバとの間に、前記第１の導管に沿って配置された弁をさらに備える、請求項１に記載の方法。
【請求項１０】
前記所定のアッセイチューブがキャップを備え、前記試料チャンバと前記所定のアッセイチューブとの間の前記第２の導管の少なくとも一部が前記キャップに配置される、請求項１に記載の方法。
【請求項１１】
前記所定のアッセイチューブが、標的核酸分子を検出するためのアッセイを行うためのプライマーの１つ以上の対を備える、請求項１に記載の方法。
【請求項１２】
前記流体流ユニットが、ポンプまたは圧縮機である、請求項１に記載の方法。
【請求項１３】
前記ポンプが多方向ポンプである、請求項１２に記載の方法。
【請求項１４】
前記ポンプが、第１のポンプおよび第２のポンプを含み、前記第１のポンプが、前記ウェルから前記試料チャンバに前記試薬を流すように構成され、前記第２のポンプが、前記試料チャンバから前記１つ以上のアッセイチューブに前記溶液を流すように構成される、請求項１２に記載の方法。
【請求項１５】
前記流体流ユニットが、圧力センサを含むか、圧力センサに連結される、請求項１に記載の方法。
【請求項１６】
試料処理のためのシステムであって、
内部の試料から１つ以上の核酸分子を捕捉するように構成されたフィルタを備える試料チャンバと、
第１の導管によって前記試料チャンバに流体連結され、試薬を含むように構成されたウェルと、
前記第１の導管と流体連通し、前記ウェルから前記試料チャンバに前記試薬を流すように構成された流体流ユニットと、
１つ以上のアッセイチューブと、ここで前記１つ以上のアッセイチューブのうちの所定のアッセイチューブは、第２の導管を介して前記試料チャンバに流体連結され、
前記流体流ユニットに連結されたコントローラと、を備え、前記コントローラが、前記試料の処理のために携帯型電子装置から命令を受け取り、前記命令に従って、（ｉ）前記ウェルから前記第１の導管に沿って前記試料チャンバに前記試薬を流すように前記流体流ユニットを誘導して、前記試料チャンバ内に前記試薬および前記１つ以上の核酸分子を含む溶液を提供し、（ｉｉ）前記試料チャンバから前記第２の導管に沿って前記１つ以上のアッセイチューブに前記溶液を流すように前記流体流ユニットを誘導して、前記所定のアッセイチューブが前記溶液の少なくとも一部を受け取るようにするように構成されるシステム。
【請求項１７】
前記１つ以上のアッセイチューブに流体連結され、前記１つ以上のアッセイチューブの下流に配置された第２の流体流ユニットをさらに備える、請求項１６に記載のシステム。
【請求項１８】
第４の導管によって前記試料チャンバに流体連結された廃棄物チャンバをさらに備える、請求項１６に記載のシステム。
【請求項１９】
前記廃棄物チャンバと前記試料チャンバとの間に、前記第４の導管に沿って配置された第３の流体流ユニットをさらに備える、請求項１８に記載のシステム。
【請求項２０】
前記ウェルと前記試料チャンバとの間に、前記第１の導管に沿って配置された弁をさらに備える、請求項１６に記載のシステム。
【請求項２１】
前記所定のアッセイチューブがキャップを備え、前記試料チャンバと前記所定のアッセイチューブとの間の前記第２の導管の少なくとも一部が前記キャップに配置される、請求項１６に記載のシステム。
【請求項２２】
前記所定のアッセイチューブが、標的核酸分子を検出するためのアッセイを行うためのプライマーの１つ以上の対を備える、請求項１６に記載のシステム。
【請求項２３】
前記試料チャンバと熱的に連通するヒータをさらに備え、前記ヒータが、前記所定のアッセイチューブ内の試料を加熱するように構成される、請求項１６に記載のシステム。
【請求項２４】
前記ヒータが、１つ以上の加熱および冷却サイクルの一部として前記試料を加熱するように構成される、請求項２３に記載のシステム。
【請求項２５】
前記流体流ユニットが、ポンプまたは圧縮機である、請求項１６に記載のシステム。
【請求項２６】
前記流体流ユニットが、１つ以上のポンプを備える、請求項１６に記載のシステム。
【請求項２７】
前記１つ以上のポンプが、第１のポンプおよび第２のポンプを含み、前記第１のポンプが、前記ウェルから前記試料チャンバに前記試薬を流すように構成され、前記第２のポンプが、前記試料チャンバから前記１つ以上のアッセイチューブに前記溶液を流すように構成される、請求項２６に記載のシステム。
【請求項２８】
ドックを備える試料処理ユニットをさらに備え、前記試料処理ユニットが前記流体流ユニットを備え、前記ウェルおよび前記試料チャンバが試料処理カートリッジに含まれ、前記ドックが、前記ウェルおよび前記試料チャンバを前記流体流ユニットと流体連通させるように、前記カートリッジを受け入れるように構成される、請求項１６に記載のシステム。
【請求項２９】
前記コントローラが、前記携帯型電子装置と無線通信するように構成される、請求項１６に記載のシステム。
【請求項３０】
前記流体流ユニットが、圧力センサを含むか、圧力センサに連結される、請求項１６に記載のシステム。